(57)【要約】【課題】本発明は、本体筐体にボタンを有する電子機器において、薄型が可能な電子機器を提供することを目的とする。【解決手段】制御回路基板１１は、タッチパッド５やボタン６からの入力を検出し、入力された情報を処理して、上位のデバイスへ通知する。制御回路基板１１は、タッチパッド５の下方に位置するが、ボタン６の左右端の下方には存在しない。これはボタン６を押した際に、ボタンが基板に接触することを防止するためである。従来であれば、ボタン６と制御回路基板１１との距離を離すことで接触を回避していたが、本実施形態では制御回路基板１１の配置と形状を工夫することで、ボタン６と制御回路基板１１との間隔を狭くすることが可能となり、パソコン１の薄型化に貢献する。【選択図】  図２
2004199426.tif 000002
【特許請求の範囲】
【請求項１】
本体と、
本体に設けられたボタン部と、
前記本体内に設けられ、前記ボタン部の端部と対向する切り欠き部を有する回路基板と、
を具備することを特徴とする電子機器。
【請求項２】
本体と、
本体に設けられたボタン部と、
前記本体内に設けられ、前記ボタン部の端部と対向する切り欠き部を有する回路基板と、
前記ボタン部と対向して前記回路基板上に設けられ、前記ボタン部からの入力を検知する検知部と、
を具備することを特徴とする電子機器。
【請求項３】
本体と、
本体に設けられたボタン部と、
前記本体内に設けられ、前記ボタン部の端部と対向する開口部を有する回路基板と、
前記回路基板上に設けられ、前記ボタン部からの入力を検知する検知部と、
を具備することを特徴とする電子機器。
【請求項４】
本体と、
本体に設けられたポインティングデバイスと
前記ポインティングデバイスにより操作された対象物を表示可能な表示部と、
前記表示部に表示された前記対象物に対し所定機能を行わせるボタン部と、
前記本体内に設けられ、前記ボタン部の端部に対向する開口部を有する回路基板と、
前記回路基板上に突設され、前記ボタン部の略中央部の鉛直位置に設けられたスイッチ部と、
を具備することを特徴とする電子機器。
【請求項５】
本体と、
本体に設けられたポインティングデバイスと
前記ポインティングデバイスにより操作された対象物を表示可能な表示部と、
前記表示部に表示された前記対象物に対し所定機能を行わせるボタン部と、
前記本体内に設けられ、前記ボタン部の端部と対向する第１の開口部と第２の開口部とを有する回路基板と、
前記回路基板上に突設され、前記ボタン部の略中央部の鉛直位置に設けられたスイッチ部と、
を具備することを特徴とする電子機器。
【請求項６】
本体と、
本体に設けられ、端部と中央部とを有するボタン部と、
前記本体内に設けられ、前記端部に対向する位置に存在しないように前記中央部に対向する位置に設けられた回路基板と、
を具備することを特徴とする電子機器。
【請求項７】
前記ボタン部の端部は、ボタン部の左右の端部であることを特徴とする請求項１乃至５に記載の電子機器。
【請求項８】
前記第１の開口部と前記第２の開口部との間は前記ボタン部の幅の半分より小さい幅であることを特徴とする請求項４に記載の電子機器。
【請求項９】
前記制御回路基板は、凸形状に形成されていることを特徴とする請求項１に記載の電子機器。
【発明の詳細な説明】
【０００１】
【発明の属する技術分野】
本発明は、ポインティング装置を有する電子機器の薄型化に関する。
【０００２】
【従来の技術】
従来、パーソナルコンピュータ（以後、パソコンと称す）の入力装置としては、キーボードが広く利用されてきているが、このキーボードの補助的な入力装置として、例えば、マウス、トラックボール、タッチパッドスティック式ポインティングデバイスなどのポインティング装置が併用されることが多い。これらのポインティング装置は、所望の位置を指定する座標入力部と、決定などを指示するボタン部とを有する。
【０００３】
【特許文献１】特開平１０−２８３８７９号公報（第２頁、第１図）
【０００４】
【発明が解決しようとする課題】
上記特許文献１の技術ではボタン装置で不要なボタンの開口を閉塞し、回路基板に穴を設けボタンを逃げ穴に入り込むように設ける技術が開示されている。しかし、不要なボタンを塞ぎ使用不可能にする技術であり、同様に設けられたボタンに対しては従来どおりの上下動を行うことができる。つまりボタンの上下動幅キャビネットと回路基板との距離が変化することは無く、少なくとも一つのボタンをキャビネットと回路基板とで挟み込むだけの高さは必要となる。
【０００５】
また、従来のタッチパッド装置のボタン部は、横長、又は縦長に形成される事が多く、ボタン中央部が押された場合は、ボタン部は本体ケースと並行状態のままに沈み込み、ボタン下方に設けられた基板上の検知スイッチを押すことが可能である。しかし、ボタンの端が押された場合は、押された端が沈み込み、ボタン中央部を中心として対称位置にある他端は浮き上がることになる。この際に、沈み込んだ端はボタンの下方に設けられている基板に接触してしまう恐れがある。この場合、基板上に設けられたスイッチに接触するより先に、ボタンが基板に接触し、ボタンの入力検知が上手く行われない。この場合は、さらに強い力で押すことにより、ボタン入力する必要があり、操作感が悪い。このような事態を避けるために、ボタンと基板とが接触しないようにボタンと基板との距離を十分空けて設計する必要があり、ボタンと制御基板との距離を確保する必要があるため、パソコン薄型化の弊害になると言う問題があった。
【０００６】
本発明は上記課題を解決するために、筐体にボタンを有する電子機器において、薄型化が可能な電子機器を提供することを目的とする。
【０００７】
【課題を解決するための手段】
上記目的を達成するために、請求項１に係る発明では、本体と、本体に設けられたボタン部と、前記本体内に設けられ、前記ボタン部の端部と対向する切り欠き部を有する回路基板と、を具備することを特徴とする。
【０００８】
このような構成により、薄型化が可能な電子機器を提供することが可能である。
【０００９】
また、請求項３に係る発明では、本体と、本体に設けられたボタン部と、前記本体内に設けられ、前記ボタン部の端部と対向する開口部を有する回路基板と、前記回路基板上に設けられ、前記ボタン部からの入力を検知する検知部と、を具備することを特徴とする。
【００１０】
このような構成により、薄型化が可能な電子機器を提供することが可能である。
【００１１】
【発明の実施の形態】
以下本発明に係る実施形態を、図面を参照して説明する。
【００１２】
図１に、第１の実施形態に係る電子機器の斜視図を示す。
【００１３】
第１の実施形態では、電子機器の例としてパソコンを例に説明する。
【００１４】
パソコン１は、本体ケース２と表示部ケース３とを備えている。本体ケース２には上面部にキーボード４及びポインティングデバイスとなるタッチパッド５及びボタン６が配設されている。また本体ケース２内にＣＰＵなどが実装された回路基板、記憶媒体などを内蔵している。
【００１５】
表示部ケース３は液晶ディスプレイ(以後、ＬＣＤと称す)７が設けられており、本体ケース２内部で処理されたデータなどを表示可能である。
【００１６】
本体ケース２と表示部ケース３とはヒンジ部８により連結されており、キーボード４を露出し操作可能な開位置と、本体ケース２上面を覆う閉位置との間で回動可能に接続される。
【００１７】
続いて、図２に第１の実施形態に係るタッチパッド周辺の拡大図を示す。
【００１８】
本実施形態では、タッチパッドはポインティングデバイスの一種であり、LCD７上に表示されるカーソルなどの移動対象物を移動させる際に用いられる。具体的には、カーソルを右に動かしたい場合は、タッチパッド５に接触させた指などを右方向に動かすことで、LCD７上に表示されるカーソルも右方向へ移動する。
【００１９】
また、タッチパッド５の上方に設けられたボタン６は、主に指示決定を行う操作部であり、例えば、ボタン６を押すことでカーソルで指された領域をアクティブウインドウに変更したり、カーソルで指定された処理の実行を決定することが可能である。
【００２０】
制御回路基板１１は、タッチパッド５やボタン６からの入力を検出し、入力された情報を処理して、上位のデバイスへ通知する。制御回路基板１１は、タッチパッド５の中央部下方には存在するが、ボタン６の左右端（端部）の下方には存在しない。これはボタン６を押した際に、ボタンが基板に接触することを防止するためである。従来であれば、ボタン６と制御回路基板１１との距離を離すことで接触を回避していたが、本実施形態では制御回路基板１１の配置と形状を工夫することで、ボタン６と制御回路基板１１との間隔を狭くすることが可能となり、パソコン１の薄型化に貢献する。
【００２１】
図３乃至図６に第１の実施形態に係る図A-A線に沿った断面図を示す。
【００２２】
図３にボタンが押されていない状態での図A-A線に沿った断面図を示す。
【００２３】
ボタン６の横方向の長さWはおよそ５０ｍｍであり、ボタンの下端と、制御回路基板１１との距離ｈは、およそ２ｍｍである。この場合に、制御回路基板１１の幅ｋはおよそ１８ｍｍ程度であり、その中央部付近にステム１２及び検知スイッチ１３が設けられている。
【００２４】
本実施形態では、この制御回路基板１１の中央部の幅は、ボタン６の幅の１／３の幅＋２〜３mm程度の幅に設定されているが、ボタン６の幅の半分幅より狭く設定されることが望ましい。
【００２５】
ボタン６は通常図示しない弾性部材により上方に付勢されており、本体ケース２の上面より若干突出するように設けられ、ボタン６押下時のストロークを保つように保持されている。
【００２６】
図４はボタンの中央部が押下された場合の図を示す。
【００２７】
この場合ボタン６は本体ケース２と平行状態を保ったまま下方へ下がり、スイッチ１２を押し下げることにより、ボタン６からの入力が検知される。また、この際にスイッチ１３をボタン６の下方で平行に押し下げることになる。
【００２８】
図５は、ボタンの左端が押下された場合の図を示す。
【００２９】
図５の場合ボタン６の左端部が押し下げられるが、ボタン６の端の下部には、制御回路基板１１は設けられていない。このため、ボタン６の左端部が制御回路基板１１の延長線ｌ−ｌよりも下方に位置し、ボタン６と制御回路基板１１とが接触することが無く正常な操作感を得ることが可能である。鎖線ｌ−ｌが本実施形態の制御回路基板１１の位置であるが、これを従来技術のように、ボタン６と制御回路基板１１とが接触しないように距離を話す場合は、一点鎖線ｍ−ｍ線の位置に設ける必要がある。このように本発明によれば高さｎの分だけパソコン１を薄く設計することが可能となる。
【００３０】
図６は、ボタンの右端が押下された場合の図を示す。
【００３１】
この場合も、図５の例と同様である。ボタン６の右端部が押し下げられることになり、ボタン６の右端部が制御回路基板１１の延長線であるｌ−ｌ線よりも下方に位置するが、制御回路基板１１が存在しないため、ボタン６と制御回路基板１１とは接触することが無く正常な操作感を得ることが可能である。
【００３２】
上述のように、本実施形態では、本体ケース２と回路基板１１との距離を短く配置することが可能になるため、パソコン１の本体ケース２の薄型化が可能となる。
【００３３】
続いて、第２の実施形態について説明する。
【００３４】
第２の実施形態では、制御回路基板で、ボタン６の左右端の下方に開口部を設けた例である。上記第１の実施形態と同じものは同一の符号を付し、説明を省略する。
【００３５】
図７に第２の実施形態に係るタッチパッド周辺の拡大図を示す。
【００３６】
制御回路基板１５は、本体ケース２内で、タッチパッド５及びボタン６の下方に配置される。さらに、ボタン６の左右の端の下方の部分に開口部１６，１７が設けられている。制御回路基板１１は、タッチパッド５の下方に位置するが、ボタン６の左右端の下方は開口部１６，１７が設けられているため、ボタン６が制御回路基板１５に接触することを防止している。
【００３７】
図８乃至図１１に第２の実施形態に係る図B-B線に沿った断面図を示す。
【００３８】
図８にボタンが押されていない状態での図B-B線に沿った断面図を示す。
【００３９】
ボタン６は通常図示しない弾性部材により上方に付勢されており、本体ケース２の上面より若干突出するように設けられ、ボタン６押下時のストロークを保つように保持されている。
【００４０】
図９はボタンの中央部が押下された場合の図を示す。
【００４１】
この場合ボタン６は本体ケース２と平行状態を保ったまま下方へ下がり、スイッチ１２を押し下げることにより、ボタン６からの入力が検知される。また、この際にスイッチ１３をボタン６の下方で平行に押し下げることになる。
【００４２】
図１０は、ボタンの左端が押下された場合の図を示す。
この場合ボタン６の左端部が押し下げられるが、ボタン６の端の下部には、制御回路基板１５は設けられていない。このため、ボタン６の左端部が制御回路基板１５の延長線ｌ−ｌよりも下方に位置し、ボタン６と制御回路基板１５とが接触することが無く正常な操作感を得ることが可能である。鎖線ｌ−ｌが本実施形態の制御回路基板１５の位置であるが、これを従来技術のように、ボタン６と制御回路基板１５とが接触しないように距離を話す場合は、一点鎖線ｍ−ｍ線の位置に設ける必要がある。このように本発明によれば高さｎの分だけパソコン１を薄く設計することが可能となる。
【００４３】
図１１は、ボタンの右端が押下された場合の図を示す。
【００４４】
この場合も、図１０の例と同様である。ボタン６の右端部が押し下げられることになり、ボタン６の右端部が制御回路基板１５の延長線であるｌ−ｌ線よりも下方に位置するが、制御回路基板１５が存在しないため、ボタン６と制御回路基板１５とは接触することが無く正常な操作感を得ることが可能である。
【００４５】
上述のように、本実施形態では、本体ケース２と回路基板１１との距離を短く配置することが可能になるため、パソコン１の本体ケース２の薄型化が可能となる。
【００４６】
上述したように、本発明によれば筐体にボタンが設けられている電子機器において、薄型化が可能な電子機器を提供可能である。
【００４７】
【発明の効果】
以上詳述した発明によれば、筐体にボタンを有する電子機器において、薄型化が可能な電子機器を提供することが可能である。
【図面の簡単な説明】
【図１】第１の実施形態に係る電子機器の斜視図。
【図２】第１の実施形態に係るタッチパッド周辺の拡大図。
【図３】第１の実施形態に係る図B-B線に沿った断面図。
【図４】第１の実施形態に係る図B-B線に沿った断面図。
【図５】第１の実施形態に係る図B-B線に沿った断面図。
【図６】第１の実施形態に係る図B-B線に沿った断面図。
【図７】第２の実施形態に係るタッチパッドの拡大図。
【図８】第２の実施形態に係る図B-B線に沿った断面図。
【図９】第２の実施形態に係る図B-B線に沿った断面図。
【図１０】第２の実施形態に係る図B-B線に沿った断面図。
【図１１】第２の実施形態に係る図B-B線に沿った断面図。
【符号の説明】
１…パソコン
２…本体ケース
３…表示部ケース
４…キーボード
５…タッチパッド
６…ボタン
７…ＬＣＤ
１１、１５…制御回路基板
１２…ステム
１３…スイッチ
１６、１７…開口部
【図１】
2004199426.tif 000003
【図２】
2004199426.tif 000004
【図３】
2004199426.tif 000005
【図４】
2004199426.tif 000006
【図５】
2004199426.tif 000007
【図６】
2004199426.tif 000008
【図７】
2004199426.tif 000009
【図８】
2004199426.tif 000010
【図９】
2004199426.tif 000011
【図１０】
2004199426.tif 000012
【図１１】
2004199426.tif 000013